(57)【要約】【課題】  アクチュエータでダンパの減衰力を変更して乗心地制御および姿勢制御を行う際に、制御の切換時に発生する違和感を解消する。【解決手段】  姿勢制御部Ｍ２，Ｍ３がロールあるいはピッチを含む車両の姿勢を制御するパラメータを算出し、スカイフック乗心地制御部Ｍ１が路面からの振動伝達を抑制して車両の乗心地を制御するパラメータを算出すると、ハイセレクト手段２６が前記二つのパラメータのうちの何れか大きい方をアクチュエータ５に出力してサスペンションのダンパの減衰力を制御するので、姿勢制御および乗心地制御の切換時にダンパの減衰力が急変するのを防止してドライバーの違和感を解消することができる。前記ハイセレクト手段２６に代えて、前記二つのパラメータを加算して出力する加算手段を採用しても、同様の作用効果を達成することができる。【選択図】        図２
2006044523.tif 000002
【特許請求の範囲】
【請求項１】
車輪（Ｗ）を車体（１）に懸架するサスペンション（Ｓ）のダンパ（４）の減衰力を変更するアクチュエータ（５）と、
ロールあるいはピッチを含む車両の姿勢を制御するパラメータを算出する姿勢制御手段（Ｍ２，Ｍ３）と、
路面からの振動伝達を抑制して車両の乗心地を制御するパラメータを算出する乗心地制御手段（Ｍ１）と、
姿勢制御手段（Ｍ２，Ｍ３）が算出したパラメータおよび乗心地制御手段（Ｍ１）が算出したパラメータのうちの何れか大きい方を出力してダンパ（４）の減衰力を制御するハイセレクト手段（２６）と、
を備えたことを特徴とするサスペンションの制御装置。
【請求項２】
車輪（Ｗ）を車体（１）に懸架するサスペンション（Ｓ）のダンパ（４）の減衰力を変更するアクチュエータ（５）と、
ロールあるいはピッチを含む車両の姿勢を制御するパラメータを算出する姿勢制御手段（Ｍ２，Ｍ３）と、
路面からの振動伝達を抑制して車両の乗心地を制御するパラメータを算出する乗心地制御手段（Ｍ１）と、
姿勢制御手段（Ｍ２，Ｍ３）が算出したパラメータおよび乗心地制御手段（Ｍ１）が算出したパラメータを加算してダンパ（４）の減衰力を制御する加算手段（２８）と、
を備えたことを特徴とするサスペンションの制御装置。
【請求項３】
前記姿勢制御手段は、少なくとも横加速度微分値に基づいて車両の姿勢を制御するパラメータを算出するロール姿勢制御部（Ｍ２）であり、前記乗心地制御手段は、少なくともバネ上上下速度に基づいて車両の乗心地を制御するパラメータを算出するスカイフック乗心地制御部（Ｍ１）であることを特徴とする、請求項１または請求項２に記載のサスペンションの制御装置。
【請求項４】
前記姿勢制御手段は、少なくとも前後加速度微分値に基づいて車両の姿勢を制御するパラメータを算出するピッチ姿勢制御部（Ｍ３）であり、前記乗心地制御手段は、少なくともバネ上上下速度に基づいて車両の乗心地を制御するパラメータを算出するスカイフック乗心地制御部（Ｍ１）であることを特徴とする、請求項１または請求項２に記載のサスペンションの制御装置。
【請求項５】
前記加算手段（２８）は、前記二つのパラメータを車速に応じて重み付けして加算することを特徴とする、請求項２に記載のサスペンションの制御装置。
【請求項６】
前記加算手段（２８）は、前記二つのパラメータを均等に重み付けして加算することを特徴とする、請求項２に記載のサスペンションの制御装置。
【発明の詳細な説明】
【技術分野】
【０００１】
本発明は、サスペンションのダンパにその減衰力を変更するアクチュエータを備えたサスペンションの制御装置に関する。
【背景技術】
【０００２】
路面からサスペンションを介して車体に伝達される振動を抑制すべくダンパの減衰力を制御する乗心地制御と、車両の旋回に伴うロール角の変化や車両の加減速に伴うピッチ角の変化を抑制して走行安定性を高めるべくダンパの減衰力を制御する姿勢制御とを、例えば舵角信号を監視することで切り換えるものが、下記特許文献１により公知である。
【特許文献１】特開２０００−１４８２０８号公報
【発明の開示】
【発明が解決しようとする課題】
【０００３】
しかしながら上記特許文献１に記載されたものは、車両の乗心地を高めるための乗心地制御と車両の走行安定性を高めるための姿勢制御とを、車両の運転状態に応じて切り換えるため、その制御の切換時にダンパの減衰力が急激に変化してドライバーに違和感を与える可能性があった。
【０００４】
本発明は前述の事情に鑑みてなされたもので、アクチュエータでダンパの減衰力を変更して乗心地制御および姿勢制御を行う際に、制御の切換時に発生する違和感を解消することを目的とする。
【課題を解決するための手段】
【０００５】
上記目的を達成するために、請求項１に記載された発明によれば、車輪を車体に懸架するサスペンションのダンパの減衰力を変更するアクチュエータと、ロールあるいはピッチを含む車両の姿勢を制御するパラメータを算出する姿勢制御手段と、路面からの振動伝達を抑制して車両の乗心地を制御するパラメータを算出する乗心地制御手段と、姿勢制御手段が算出したパラメータおよび乗心地制御手段が算出したパラメータのうちの何れか大きい方を出力してダンパの減衰力を制御するハイセレクト手段とを備えたことを特徴とするサスペンションの制御装置が提案される。
【０００６】
また請求項２に記載された発明によれば、車輪を車体に懸架するサスペンションのダンパの減衰力を変更するアクチュエータと、ロールあるいはピッチを含む車両の姿勢を制御するパラメータを算出する姿勢制御手段と、路面からの振動伝達を抑制して車両の乗心地を制御するパラメータを算出する乗心地制御手段と、姿勢制御手段が算出したパラメータおよび乗心地制御手段が算出したパラメータを加算してダンパの減衰力を制御する加算手段とを備えたことを特徴とするサスペンションの制御装置が提案される。
【０００７】
また請求項３に記載された発明によれば、請求項１または請求項２の構成に加えて、前記姿勢制御手段は、少なくとも横加速度微分値に基づいて車両の姿勢を制御するパラメータを算出するロール姿勢制御部であり、前記乗心地制御手段は、少なくともバネ上上下速度に基づいて車両の乗心地を制御するパラメータを算出するスカイフック乗心地制御部であることを特徴とするサスペンションの制御装置が提案される。
【０００８】
また請求項４に記載された発明によれば、請求項１または請求項２の構成に加えて、前記姿勢制御手段は、少なくとも前後加速度微分値に基づいて車両の姿勢を制御するパラメータを算出するピッチ姿勢制御部であり、前記乗心地制御手段は、少なくともバネ上上下速度に基づいて車両の乗心地を制御するパラメータを算出するスカイフック乗心地制御部であることを特徴とするサスペンションの制御装置が提案される。
【０００９】
また請求項５に記載された発明によれば、請求項２の構成に加えて、前記加算手段は、前記二つのパラメータを車速に応じて重み付けして加算することを特徴とするサスペンションの制御装置が提案される。
【００１０】
また請求項６に記載された発明によれば、請求項２の構成に加えて、前記加算手段は、前記二つのパラメータを均等に重み付けして加算することを特徴とするサスペンションの制御装置が提案される。
【発明の効果】
【００１１】
請求項１の構成によれば、姿勢制御手段がロールあるいはピッチを含む車両の姿勢を制御するパラメータを算出し、乗心地制御手段が路面からの振動伝達を抑制して車両の乗心地を制御するパラメータを算出すると、ハイセレクト手段が前記二つのパラメータのうちの何れか大きい方を出力してサスペンションのダンパの減衰力を制御するので、姿勢制御および乗心地制御の切換時にダンパの減衰力が急変するのを防止してドライバーの違和感を解消することができる。
【００１２】
請求項２の構成によれば、姿勢制御手段がロールあるいはピッチを含む車両の姿勢を制御するパラメータを算出し、乗心地制御手段が路面からの振動伝達を抑制して車両の乗心地を制御するパラメータを算出すると、加算手段が前記二つのパラメータを加算してサスペンションのダンパの減衰力を制御するので、姿勢制御および乗心地制御の切換に伴うダンパの減衰力の急変をなくしてドライバーの違和感を解消することができる。
【００１３】
請求項３の構成によれば、横加速度微分値に基づいて車両の姿勢を制御するパラメータを算出するロール姿勢制御部で姿勢制御手段を構成し、バネ上上下速度に基づいて車両の乗心地を制御するパラメータを算出するスカイフック乗心地制御部で乗心地制御手段を構成したので、車両の姿勢制御と乗心地とを両立させることができる。
【００１４】
請求項４の構成によれば、前後加速度微分値に基づいて車両の姿勢を制御するパラメータを算出するピッチ姿勢制御部で姿勢制御手段を構成し、バネ上上下速度に基づいて車両の乗心地を制御するパラメータを算出するスカイフック乗心地制御部で乗心地制御手段を構成したので、車両の姿勢制御と乗心地とを両立させることができる。
【００１５】
請求項５の構成によれば、姿勢制御手段が算出したパラメータおよび乗心地制御手段が算出したパラメータを加算する際に、それらパラメータを車速に応じて重み付けして加算するので、車両の姿勢制御および車両の乗心地制御の優先度を車速に応じて任意に変化させることができる。
【００１６】
請求項６の構成によれば、姿勢制御手段が算出したパラメータおよび乗心地制御手段が算出したパラメータを加算する際に、それらパラメータを同一の重み付けで加算するので、加算手段の演算負荷を軽減することができる。
【発明を実施するための最良の形態】
【００１７】
以下、本発明の実施の形態を、添付の図面に示した本発明の実施例に基づいて説明する。
【００１８】
図１〜図９は本発明の第１実施例を示すもので、図１は車両のサスペンション装置の正面図、図２はダンパの減衰力を変更するアクチュエータの制御系のブロック図、図３はサスペンションのモデルを示す図、図４はスカイフック制御の説明図、図５はロール姿勢制御の作用を示すフローチャート、図６はアクチュエータの目標電流を検索するマップを示す図、図７はレーンチェンジを行う際の横加速度および横加速度微分値を示すグラフ、図８はレーンチェンジを行う際の車両挙動を示す図、図９はスカイフック制御における振動伝達率を示すグラフである。
【００１９】
図１に示すように、四輪の自動車の車輪Ｗを懸架するサスペンションＳは、車体１にナックル２を上下動自在に支持するサスペンションアーム３と、サスペンションアーム３および車体１を接続するように直列に配置されたダンパ４、アクチュエータ５およびダンパマウントラバー６と、サスペンションアーム３および車体１を接続するコイルバネ７とを備える。ダンパ４は、サスペンションアーム３に下端を支持したシリンダ８と、シリンダ８に摺動自在に嵌合するピストン９と、ピストン９から上方に延びるピストンロッド１０とから構成され、またアクチュエータ５は、ピストンロッド１０の上端およびダンパマウントラバー６の下端を接続するコア１１と、コア１１の外周を囲むように配置されたコイル１２とから構成される。ダンパ４は周知の油圧式のもので、オイルを満たしたシリンダ８の内部をピストン９が移動する際に、その移動速度に応じた荷重（減衰力）を発生する。
【００２０】
アクチュエータ５の作動を制御する電子制御ユニットＵには、バネ上加速度を検出するバネ上加速度センサ１３からの信号と、ダンパ４の変位（ストローク）を検出するダンパ変位センサ１４と、車両の横加速度を検出する横加速度センサ１５からの信号と、車両の前後加速度を検出する前後加速度センサ１６からの信号とが入力され、これらの信号に基づいて電子制御ユニットＵはダンパ４に供給する電流を制御して減衰力を任意に変更することができる。
【００２１】
図２に示すように、電子制御ユニットＵは、スカイフック乗心地制御部Ｍ１と、ロール姿勢制御部Ｍ２と、ピッチ姿勢制御部Ｍ３と、目標電流算出部Ｍ４と、バネ下制御部Ｍ５とを備える。バネ上加速度センサ１３が出力するバネ上加速度は積分手段２１で積分されてバネ上上下速度となり、スカイフック乗心地制御部Ｍ１に入力される。ダンパ変位センサ１４が出力するダンパ変位はバネ下制御部Ｍ５に直接入力されるとともに、微分手段２２で微分されてダンパ速度となり、スカイフック乗心地制御部Ｍ１およびバネ下制御部Ｍ５に入力される。横加速度センサ１５が出力する横加速度は微分手段２３で微分されて横加速度微分値となり、ロール姿勢制御部Ｍ２に入力される。前後加速度センサ１６が出力する前後加速度は微分手段２４で微分されて前後加速度微分値となり、ピッチ姿勢制御部Ｍ３に入力される。
【００２２】
微分手段２２で算出したダンパ速度と、ロール姿勢制御部Ｍ２が出力するロール制御目標荷重（ロール制御を行うためにダンパ４に発生させるべき目標減衰力）と、ピッチ姿勢制御部Ｍ３が出力するピッチ制御目標荷重（ピッチ制御を行うためにダンパ４に発生させるべき目標減衰力）とが入力された目標電流算出部Ｍ４は、ダンパ４のアクチュエータ５に供給するロール制御電流およびピッチ制御電流を出力し、それらのロール制御電流およびピッチ制御電流は加算手段２５で加算されてロール／ピッチ制御電流となり、ハイセレクト手段２６に入力される。ロール／ピッチ制御電流に加えて、スカイフック乗心地制御部Ｍ１からのスカイフック制御電流（スカイフック制御を行うための目標電流）が入力されたハイセレクト手段２６は、ロール／ピッチ制御電流およびスカイフック制御電流のうちの何れか大きい方を出力する。そしてハイセレクト手段２６が出力するハイセレクト値と、バネ下制御部Ｍ５が出力するバネ下制御電流（バネ下制御を行うための目標電流）とが加算手段２７で加算され、その加算値に基づいてダンパ４のアクチュエータ５の作動が制御される。
【００２３】
次に、図３および図４に基づいて、スカイフック乗心地制御部Ｍ１の機能について説明する。
【００２４】
図３に示すサスペンションのモデルから明らかなように、路面にタイヤの仮想的なバネ１７を介してバネ下質量１８が接続され、バネ下質量１８にダンパ４、アクチュエータ５およびコイルバネ７を介してバネ上質量１９が接続される。ダンパ４の減衰力はアクチュエータ５により可変である。バネ上質量１９の変位Ｘ２の変化率ｄＸ２／ｄｔは、図２の積分手段２１が出力するバネ上上下速度に相当する。またバネ上質量１９の変位Ｘ２およびバネ下質量１８の変位Ｘ１の差の変化率ｄ（Ｘ２−Ｘ１）／ｄｔは、図２の微分手段２２が出力するダンパ速度に相当する。
【００２５】
ｄＸ２／ｄｔ×ｄ（Ｘ２−Ｘ１）／ｄｔ＞０
のとき、つまりバネ上上下速度とダンパ速度とが同方向（同符号）であるとき、ダンパ４のアクチュエータ５は減衰力を増加させる方向に制御される。一方、
ｄＸ２／ｄｔ×ｄ（Ｘ２−Ｘ１）／ｄｔ≦０
のとき、つまりバネ上上下速度とダンパ速度とが逆方向（逆符号）であるとき、ダンパ４のアクチュエータ５は減衰力を減少させる方向に制御される。
【００２６】
従って、図４に示すように車輪Ｗが路面の突起を乗り越す場合を考えると、（１）に示すように車輪Ｗが突起の前半に沿って上昇する間は、車体１が上向きに移動してバネ上上下速度（ｄＸ２／ｄｔ）が正値になり、ダンパ４が圧縮されてダンパ速度ｄ（Ｘ２−Ｘ１）／ｄｔが負値になるため、両者が逆符号となってダンパ４のアクチュエータ５は圧縮方向の減衰力を減少させるように制御される。
【００２７】
また（２）に示すように車輪Ｗが突起の頂点を乗り越した直後は、車体１が慣性で依然として上向きに移動してバネ上上下速度（ｄＸ２／ｄｔ）が正値になり、車体１の上昇によりダンパ４が伸長されてダンパ速度ｄ（Ｘ２−Ｘ１）／ｄｔが正値になるため、両者が同符号となってダンパ４のアクチュエータ５は伸長方向の減衰力を増加させるように制御される。
【００２８】
また（３）に示すように車輪Ｗが突起の後半に沿って下降する間は、車体１が下向きに移動してバネ上上下速度（ｄＸ２／ｄｔ）が負値になり、車輪Ｗが車体１よりも速く下降することによりダンパ４が伸長されてダンパ速度ｄ（Ｘ２−Ｘ１）／ｄｔが正値になるため、両者が逆符号となってダンパ４のアクチュエータ５は伸長方向の減衰力を減少させるように制御される。
【００２９】
また（４）に示すように車輪Ｗが突起を完全に乗り越した直後は、車体１が慣性で依然として下向きに移動してバネ上上下速度（ｄＸ２／ｄｔ）が負値になり、車輪Ｗが下降を停止することによりダンパ４が圧縮されてダンパ速度ｄ（Ｘ２−Ｘ１）／ｄｔが負値になるため、両者が同符号となってダンパ４のアクチュエータ５は圧縮方向の減衰力を増加させるように制御される。
【００３０】
このようなスカイフック制御を行って車両の乗心地を高める際に、図４の（２）および（４）に示すダンパ４のアクチュエータ５の減衰力を増加させる領域で、その減衰力、つまりスカイフック制御電流を（比例定数）×（バネ上上下速度）により算出することで、切替音の低減と違和感の低減とを実現することができる。
【００３１】
次に、ロール姿勢制御部Ｍ２および目標電流算出部Ｍ４の作用を図５〜図８に基づいて説明する。
【００３２】
図５のフローチャートのステップＳ１で、横加速度センサ１５により横加速度を検出し、ステップＳ２で横加速度を微分手段２３により微分して横加速度変化率を算出し、更にステップＳ３でロール姿勢制御部Ｍ２において（比例定数）×（横加速度微分値）によりロール制御目標荷重を算出する。続くステップＳ４でダンパ変位センサ１４によりダンパ変位を検出し、ステップＳ５でダンパ変位を微分手段２２により微分してダンパ速度を算出する。続くステップＳ６で、ロール制御目標荷重およびダンパ速度が入力される目標電流算出部Ｍ４が、図６に示すマップからロール制御電流を検索し、ステップＳ７で前記ロール制御電流を加算手段２５に出力する。
【００３３】
図６はロール制御目標荷重およびダンパ速度からロール制御電流を検索するマップを示している。基本的に縦軸のロール制御目標荷重に対してロール制御電流は比例関係にあるが、そのロール制御電流はダンパ速度により補正される。例えば、ロール制御目標荷重がＦｔであるとき、ダンパ速度がＶｐｔであれば、ロール制御電流はＩｔとなる。そしてダンパ速度がＶｐｔからＶｐｔ１に増加すると、ロール制御電流はＩｔからＩｔ１に減少し、逆にダンパ速度がＶｐｔからＶｐｔ２に減少すると、ロール制御電流はＩｔからＩｔ２に増加する。
【００３４】
図７は車両が左車線から右車線にレーンチェンジした際の横加速度と、それを微分した横加速度微分値とを示すもので、その時間軸上の（１）〜（５）は、図８に示すレーンチェンジする車両の挙動の（１）〜（５）に対応している。
【００３５】
横加速度がゼロである（１）、（３）、（５）では車体１はロールしておらず、右旋回中の（２）では車体１が遠心力で左側にロールし、左旋回中の（４）では車体１が遠心力で右側にロールするが、このときダンパ４にロール制御目標荷重Ｆｔを発生させることで、旋回方向外側への車体１のロールを抑制して車両の姿勢を安定させることができる。
【００３６】
その際に、車体１のロール角を制御すべくダンパ４のロール制御目標荷重Ｆｔを横加速度に基づいて決定すると、横加速度はロール角とほぼじ位相で変化するため、ダンパ４の減衰力の制御に遅れが生じる可能性がある。図７のグラフに注目すると、（２）において左向きの横加速度が最大となるタイミングに先立つａ点で横加速度微分値の絶対値が最大になり、（４）において右向きの横加速度が最大となるタイミングに先立つｂ点で横加速度微分値の絶対値が最大になっている。このように、横加速度が変化する位相に対して、横加速度微分値が変化する位相が先行していることに着目し、この横加速度微分値に比例したダンパ４のロール制御目標荷重Ｆｔを設定することで、ダンパ４の減衰力を時間遅れなく制御して車両の姿勢を更に安定させ、的確な姿勢制御と乗心地とを両立させることができる。
【００３７】
しかも目標電流算出部Ｍ４がロール制御目標荷重からロール制御電流をマップ検索する際にダンパ速度による補正を行うので、路面の凹凸からの大きな入力があった場合でも、適切なロール制御目標荷重を設定して乗心地の悪化を回避することができる。
【００３８】
上述したロール制御電流の算出と同様にして、車両の急加速時におけるノーズアップや急制動時におけるノーズダウンを抑制するために、ピッチ姿勢制御部Ｍ３は、前後加速度センサ１６で検出した前後加速度を微分手段２４で微分して得た前後加速度微分値からピッチ制御目標荷重を算出し、目標電流算出手部Ｍ４はピッチ制御目標荷重からピッチ制御電流をマップ検索する際に、ダンパ速度に基づいてピッチ制御電流を補正する。
【００３９】
しかして、目標電流算出手部Ｍ４が出力するロール制御電流およびピッチ制御電流は加算手段２５で加算され、その加算値であるロール／ピッチ制御電流はハイセレクト手段２６に入力され、そこでスカイフック制御電流と比較された結果、いずれか大きい方の電流が加算手段２７に出力される。そして加算手段２７において、バネ下制御部Ｍ５が出力するバネ下制御電流と加算され、その加算値に基づいてダンパ４のアクチュエータ５の減衰力が制御される。
【００４０】
このように、ロール／ピッチ制御電流およびスカイフック制御電流のうちの何れか大きい方がハイセレクト手段２６により選択されてアクチュエータ５に出力されるので、ハイセレクト手段２６がロール／ピッチ制御電流を選択している間にスカイフック制御電流が増加してロール／ピッチ制御電流を超えた瞬間に、ロール／ピッチ制御電流からスカイフック制御電流に切り換わり、逆にハイセレクト手段２６がスカイフック制御電流を選択している間にロール／ピッチ制御電流が増加してスカイフック制御電流を超えた瞬間に、スカイフック制御電流からロール／ピッチ制御電流からに切り換わることになる。何れの場合にも、その切換時にハイセレクト手段２６が出力するハイセレクト電流が不連続に急変することがないため、ダンパ４のアクチュエータ５の作動がドライバーに違和感を与えることが回避される。
【００４１】
ところで、図９に示すように、上述したスカイフック制御では、制御ゲインを変更してもバネ上共振周波数である１Ｈｚ近傍の振動伝達率が変化するだけであり、バネ下共振周波数である１０Ｈｚ近傍の振動伝達率を制御できないという問題がある。
【００４２】
バネ下制御部Ｍ５はこの問題を解消するために設けられたもので、バネ下共振領域での振動を把握して制御する指標としてダンパ速度とダンパ変位との積に着目し、（比例定数）×（ダンパ速度）×（ダンパ変位）によりバネ下制御電流を算出し、このバネ下制御電流は加算手段２７においてハイセレクト手段２６が出力するハイセレクト電流に加算される。その結果、特にダンパ速度およびダンパ変位が大きい場合に、スカイフック制御とは独立して、１０Ｈｚ近傍のバネ下共振領域の振動を抑制することが可能になる。
【００４３】
次に、図１０に基づいて本発明の第２実施例を説明する。
【００４４】
図２に示す第１実施例ではスカイフック乗心地制御部Ｍ１が出力するスカイフック制御電流と、目標電流算出部Ｍ４が出力するロール／ピッチ制御電流とをハイセレクト手段２６に入力し、その何れか大きい方を選択して出力していたが、第２実施例では前記ハイセレクト手段２６に代わる加算手段２８を設け、この加算手段２８でスカイフック制御電流およびロール／ピッチ制御電流を加算し、更にバネ下制御電流を加算している。
【００４５】
この第２実施例によっても、スカイフック制御電流およびロール／ピッチ制御電流を常時加算することにより、スカイフック制御およびロール／ピッチ制御の切り換えに伴ってダンパ４の減衰力が急変するのを防止し、ドライバーが違和感を覚えないようにして乗心地を高めることができる。
【００４６】
特に、スカイフック乗心地制御部Ｍ１が出力するスカイフック制御電流と目標電流算出部Ｍ４が出力するロール／ピッチ制御電流とにそれぞれ重み付け係数を乗算し、その乗算値を加算手段２８で加算すれば、車両の乗心地制御および車両の姿勢制御の優先度を車速に応じて任意に変化させることができる。またスカイフック乗心地制御部Ｍ１が出力するスカイフック制御電流と目標電流算出部Ｍ４が出力するロール／ピッチ制御電流とを重み付けせずにそのまま加算すれば、加算手段２８の演算負荷を軽減することができる。
【００４７】
以上、本発明の実施例を説明したが、本発明はその要旨を逸脱しない範囲で種々の設計変更を行うことが可能である。
【００４８】
例えば、実施例ではロール姿勢制御部Ｍ２およびピッチ姿勢制御部Ｍ３を備えてロールおよびピッチの両方の姿勢制御を行っているが、その一方だけを行っても良い。
【図面の簡単な説明】
【００４９】
【図１】車両のサスペンション装置の正面図
【図２】ダンパの減衰力を変更するアクチュエータの制御系のブロック図
【図３】サスペンションのモデルを示す図
【図４】スカイフック制御の説明図
【図５】ロール姿勢制御の作用を示すフローチャート
【図６】アクチュエータの目標電流を検索するマップを示す図
【図７】レーンチェンジを行う際の横加速度および横加速度微分値を示すグラフ
【図８】レーンチェンジを行う際の車両挙動を示す図
【図９】スカイフック制御における振動伝達率を示すグラフ
【図１０】第２実施例に係るダンパの減衰力を変更するアクチュエータの制御系のブロック図
【符号の説明】
【００５０】
１          車体
４          ダンパ
５          アクチュエータ
２６        ハイセレクト手段
２８        加算手段
Ｍ１        スカイフック乗心地制御部（乗心地制御手段）
Ｍ２        ロール姿勢制御部（姿勢制御手段）
Ｍ３        ピッチ姿勢制御部（姿勢制御手段）
Ｓ          サスペンション
Ｗ          車輪
【図１】
2006044523.tif 000003
【図２】
2006044523.tif 000004
【図３】
2006044523.tif 000005
【図４】
2006044523.tif 000006
【図５】
2006044523.tif 000007
【図６】
2006044523.tif 000008
【図７】
2006044523.tif 000009
【図８】
2006044523.tif 000010
【図９】
2006044523.tif 000011
【図１０】
2006044523.tif 000012